(57)【要約】    【課題】  フラッシュ撮影において、カメラ本体の画像表示モニタが使用しづらい（例えばローアングル撮影等）場合にも、画像確認を確実に行うことができる電子カメラシステム、電子カメラ、撮影補助光投光装置及び電子カメラシステムの撮影画像表示方法並びにプログラムを提供する。    【解決手段】  電子カメラシステム１００は、シャッターレリーズ釦４と液晶表示モニタ１４ａとを有するカメラ本体１と、カメラ本体１に着脱可能に構成され、外部液晶表示モニタ１５ｅを有するストロボ１５とを備える。ストロボ１５が有する外部液晶表示モニタ１５ｅは、ＳＷ１がＯＮのときに、カメラ本体１に装着されたストロボ１５に画像表示機能を有する外部液晶表示モニタ１５ｅがあり、且つ、その画像表示機能がＯＮであるとき、撮影画像を液晶表示モニタ１４ａのみならず外部液晶表示モニタ１５ｅにも表示する。【選択図】      図１
2007060238.tif 000002
【特許請求の範囲】
【請求項１】
電子カメラと、当該電子カメラに着脱可能な撮影補助光投光装置とを備える電子カメラシステムにおいて、
前記電子カメラにより撮影画像を表示する第１の表示手段と、
前記電子カメラにより前記撮影補助光投光装置に前記撮影画像のデータを送信する送信手段と、
前記撮像画像のデータの送信があったときに、前記撮影補助光投光装置により前記撮影画像を表示する第２の表示手段とを備えることを特徴とする電子カメラシステム。
【請求項２】
前記撮影補助光投光装置は、閃光装置であることを特徴とする請求項１記載の電子カメラシステム。
【請求項３】
前記電子カメラは、前記撮影補助光投光装置を着脱することが可能な着脱用コネクタ部と、前記撮像画像のデータを前記撮影補助光投光装置に送信することが可能な通信用コネクタ部とを備えることを特徴とする請求項１又は２記載の電子カメラシステム。
【請求項４】
前記着脱用コネクタ部は、前記通信用コネクタ部とを一体で構成されることを特徴とする請求項３記載の電子カメラシステム。
【請求項５】
前記通信用コネクタ部は、前記着脱用コネクタ部と別体で構成されることを特徴とする請求項３又は４記載の電子カメラシステム。
【請求項６】
前記送信手段は、前記撮影補助光投光装置が前記着脱用コネクタ部に装着されたときに前記撮影画像のデータを送信することを特徴とする請求項３乃至５のいずれか１項に記載の電子カメラシステム。
【請求項７】
前記送信手段は、前記第２の表示手段で前記撮影画像を表示する旨のユーザ入力があったときに前記撮影画像のデータを送信することを特徴とする請求項１乃至５のいずれか１項に記載の電子カメラシステム。
【請求項８】
前記撮影画像のデータが送信されたとき、前記第１の表示手段で表示されている撮影画像を前記第２の表示手段に切り替えて表示することを特徴とする請求項１乃至７のいずれか１項に記載の電子カメラシステム。
【請求項９】
撮影補助光投光装置を着脱可能な電子カメラにおいて、
撮影画像を表示する第１の表示手段と、
前記撮影補助光投光装置が前記撮影画像を表示可能な表示手段を備えているかを判定する判定手段と、
前記判定手段により前記撮影補助光投光装置が前記撮影画像を表示可能な表示手段を備えていると判定された場合に、前記撮影補助光投光装置に前記撮影画像のデータを送信する送信手段とを備えることを特徴とする電子カメラ。
【請求項１０】
前記撮影補助光投光装置を着脱することが可能な着脱用コネクタ部と、前記撮像画像のデータを前記撮影補助光投光装置に送信することが可能な通信用コネクタ部とを備え、前記送信手段は、前記撮影補助光投光装置が前記着脱用コネクタ部に装着されたときに前記撮影画像のデータを送信することを特徴とする請求項９に記載の電子カメラ。
【請求項１１】
前記送信手段は、前記撮影補助光投光装置の表示手段で前記撮影画像を表示する旨のユーザ入力があったときに前記撮影画像のデータを送信することを特徴とする請求項９に記載の電子カメラ。
【請求項１２】
電子カメラに着脱可能な撮影補助光投光装置において、
前記電子カメラにより送信された撮影画像のデータを受信する受信手段と、
前記撮影画像を表示する表示手段とを備えることを特徴とする撮影補助光投光装置。
【請求項１３】
電子カメラと、当該電子カメラに着脱可能な撮影補助光投光装置とを備える電子カメラシステムの撮影画像表示方法において、
前記電子カメラにより撮影画像を表示する第１の表示ステップと、
前記電子カメラにより前記撮影補助光投光装置に前記撮影画像のデータを送信する送信ステップと、
前記撮像画像のデータの送信があったときに、前記撮影補助光投光装置により前記撮影画像を表示する第２の表示ステップとを有することを特徴とする撮影画像表示方法。
【請求項１４】
前記送信ステップは、前記撮影補助光投光装置が前記電子カメラに装着されたときに前記撮影画像のデータを送信することを特徴とする請求項１３記載の撮影画像表示方法。
【請求項１５】
前記送信ステップは、前記第２の表示ステップにより前記撮影画像を表示する旨のユーザ入力があったときに前記撮影画像のデータを送信することを特徴とする請求項１３記載の撮影画像表示方法。
【請求項１６】
前記撮影画像のデータが送信されたとき、前記第１の表示ステップにより表示されている撮影画像を前記第２の表示ステップにより切り替えて表示することを特徴とする請求項１３乃至１５のいずれか１項に記載の撮影画像表示方法。
【請求項１７】
電子カメラと、当該電子カメラに着脱可能な撮影補助光投光装置とを備える電子カメラシステムの撮影画像表示方法をコンピュータにより実行させるプログラムにおいて、
前記電子カメラにより撮影画像を表示する第１の表示モジュールと、
前記電子カメラにより前記撮影補助光投光装置に前記撮影画像のデータを送信する送信モジュールと、
前記撮像画像のデータの送信があったときに、前記撮影補助光投光装置により前記撮影画像を表示する第２の表示モジュールとを有することを特徴とするプログラム。
【発明の詳細な説明】
【技術分野】
【０００１】
本発明は、電子カメラシステム、電子カメラ、撮影補助光投光装置及び電子カメラシステムの撮影画像表示方法並びにプログラムに関し、特に、撮影画像を液晶モニタを使用して表示する電子カメラシステム、電子カメラ、撮影補助光投光装置及び電子カメラシステムの撮影画像表示方法並びにプログラムに関する。
【背景技術】
【０００２】
従来、液晶表示モニタを有するカメラ本体と、カメラ本体に着脱可能に構成された外部液晶表示モニタとを備える電子カメラシステムが開示されている。
【０００３】
これらのモニタは、いずれも画像記録時のファインダとしての機能および画像再生時のモニタとしての機能の両方又はどちらか一方を有するものであるのが一般的である。
【０００４】
このような電子カメラシステムにおいて、液晶表示モニタと外部液晶表示モニタとで異なる画像を表示させる従来技術が知られている。
【０００５】
すなわち、上記従来技術のような構成にすることで、２枚の比較画像を同時に見ることができ、撮影中又は撮影後に２枚の画像を隅々まで詳細に見比べることができる（例えば、特許文献１参照）。
【特許文献１】特開平１１−２６６３８１号公報
【発明の開示】
【発明が解決しようとする課題】
【０００６】
しかしながら、上述の従来より開示されている技術では、カメラ本体外部に画像を表示するための専用のモニタ装置が必要となる。
【０００７】
また、外部に取り付けるモニタ装置をカメラの外部機器接続端子例えばアクセサリーシューに取り付けた場合、撮影補助光投光装置であるストロボが取り付けられなくなるという問題が生じる。
【０００８】
本発明の目的は、フラッシュ撮影において、カメラ本体の画像表示モニタが使用しづらい（例えばローアングル撮影等）場合にも、画像確認を確実に行うことができる電子カメラシステム、電子カメラ、撮影補助光投光装置及び電子カメラシステムの撮影画像表示方法並びにプログラムを提供することにある。
【課題を解決するための手段】
【０００９】
上記目的を達成するために、請求項１記載の電子カメラシステムは、電子カメラと、当該電子カメラに着脱可能な撮影補助光投光装置とを備える電子カメラシステムにおいて、前記電子カメラにより前記撮影画像を表示する第１の表示手段と、前記電子カメラにより前記撮影補助光投光装置に前記撮影画像のデータを送信する送信手段と、前記撮像画像のデータの送信があったときに、前記撮影補助光投光装置により前記撮影画像を表示する第２の表示手段とを備えることを特徴とする。
【００１０】
上記目的を達成するために、請求項９記載の電子カメラは、撮影補助光投光装置を着脱可能な電子カメラにおいて、撮影画像を表示する第１の表示手段と、前記撮影補助光投光装置が前記撮影画像を表示可能な表示手段を備えているかを判定する判定手段と、前記判定手段により前記撮影補助光投光装置が前記撮影画像を表示可能な表示手段を備えていると判定された場合に、前記撮影補助光投光装置に前記撮影画像のデータを送信する送信手段とを備えることを特徴とする。
【００１１】
上記目的を達成するために、請求項１２記載の撮影補助光投光装置は、電子カメラに着脱可能な撮影補助光投光装置において、前記電子カメラにより送信された撮影画像のデータを受信する受信手段と、前記撮影画像を表示する表示手段とを備えることを特徴とする。
【００１２】
上記目的を達成するために、請求項１３記載の撮影画像表示方法は、電子カメラと、当該電子カメラに着脱可能な撮影補助光投光装置とを備える電子カメラシステムの撮影画像表示方法において、前記電子カメラにより前記撮影画像を表示する第１の表示ステップと、前記電子カメラにより前記撮影補助光投光装置に前記撮影画像のデータを送信する送信ステップと、前記撮像画像のデータの送信があったときに、前記撮影補助光投光装置により前記撮影画像を表示する第２の表示ステップとを有することを特徴とする。
【００１３】
上記目的を達成するために、請求項１７記載のプログラムは、電子カメラと、当該電子カメラに着脱可能な撮影補助光投光装置とを備える電子カメラシステムの撮影画像表示方法をコンピュータにより実行させるプログラムにおいて、前記電子カメラにより前記撮影画像を表示する第１の表示モジュールと、前記電子カメラにより前記撮影補助光投光装置に前記撮影画像のデータを送信する送信モジュールと、前記撮像画像のデータの送信があったときに、前記撮影補助光投光装置により前記撮影画像を表示する第２の表示モジュールとを有することを特徴とする。
【発明の効果】
【００１４】
本発明によれば、撮影画像が表示される電子カメラにより撮影補助光投光装置に撮影画像のデータが送信されたときに、撮影補助光投光装置によりその撮影画像を表示するので、フラッシュ撮影において、カメラ本体の画像表示モニタが使用しづらい（例えばローアングル撮影等）場合にも、画像確認を確実に行うことができる。
【発明を実施するための最良の形態】
【００１５】
以下、本発明の実施の形態を図面を用いて詳述する。
【００１６】
図１は、本発明の実施の形態に係る電子カメラシステムの外観を示す斜視図であって、（ａ）は正面図、（ｂ）は背面図である。
【００１７】
図１（ａ）において、電子カメラシステム１００は、上部に撮影を行う際の各種の操作部材および表示部材を備えるカメラ本体１と、外部ストロボ装置であり、カメラ本体１に着脱可能に構成されているストロボ１５（補助光投光装置）とを備える。
【００１８】
カメラ本体１は、交換可能に装着できる撮影レンズ２と、撮影者がカメラ本体１をホールドしやすい形状になっているグリップ３とを備える。
【００１９】
また、カメラ本体１は、撮影用のシャッターレリーズ釦４と、液晶を用いた上面表示パネル５と、グリップ３の上部で且つシャッターレリーズ釦４の後部に配置されている電子ダイヤル６とを備える。
【００２０】
撮影者によりシャッターレリーズ釦４が１段目まで押し込まれたとき（ＳＷ１）、カメラ本体１は、測光および測距演算を開始し、２段目まで押し込まれたとき（ＳＷ２）、露出のための一連の動作を開始する。
【００２１】
さらに、カメラ本体１は、カメラの撮影モードを変更する指示や、撮影画像を再生表示する指示操作部材である撮影モード変更＆再生釦７とを備える。
【００２２】
ここで、カメラの撮影モードとは、プログラム、シャッタースピード優先、絞り優先、マニュアル等のモードをいう。
【００２３】
上面表示パネル５は、シャッタースピードや絞り値といった撮影に必要な情報を表示する。
【００２４】
また、撮影者がこの電子ダイヤル６を操作することにより、シャッタースピード、絞り等の撮影条件を変更することができるようになっている。
【００２５】
さらに、図１（ｂ）において、カメラ本体１は、主電源のＯＮ／ＯＦＦを行うメインスイッチ８と、電池の残り状態および残り撮影可能枚数を表示する液晶の背面表示パネル９と、撮影したデータを消去するためのデリート釦１０とを備える。
【００２６】
また、カメラ本体１は、ＳＣＳＩケーブルのポート１１と、ＡＣアダプタの入力ポート１２と、ファインダ接眼窓１３と、液晶表示モニタ部１４とを備える。
【００２７】
液晶表示モニタ部１４は、撮影する予定の被写体をリアルタイムに表示する所謂ファインダとして使用したり、撮影画像を表示して使うことのできる液晶表示モニタ１４ａと、これを作動させるための操作釦１４ｂとから成る。
【００２８】
カメラ本体１は、ストロボ１５を物理的に装着する着脱用コネクタと、ストロボ１５を電気的に装着する通信用コネクタが一体で構成されているいわゆるアクセサリーシュー部（不図示）を有する。
【００２９】
ストロボ１５は、自装置の各種設定を変更する操作釦１５ａ，１５ｂ，１５ｃ，１５ｄと、自装置の設定内容を表示すると共に上記液晶表示モニタ１４ａと同じ機能を持つ外部液晶表示モニタ１５ｅとを備える。
【００３０】
さらに、ストロボ１５は、外部液晶表示モニタ１５ｅを液晶表示モニタ１４ａと同じ機能として使用するための設定スイッチ１５ｈと、外部ストロボ装置の発光部１５ｇとを備える。
【００３１】
設定スイッチ１５ｈは、スライドスイッチで、右にスライドさせると外部液晶表示モニタ１５ｅを液晶表示モニタ１４ａと同じ機能として使用可能となる。
【００３２】
図２は、図１におけるカメラ本体１の断面を概略的に示す図である。
【００３３】
図２において、カメラ本体１は、カメラ側マウント５０２と、カメラ側マウント５０２に着脱可能に装填されている撮影レンズ５０３と、撮影レンズ５０３の対物レンズ群５０４とを備える。
【００３４】
また、カメラ本体１は、銀塩フィルムの焦点結像面となる後蓋５０９に取り付けられた固体撮像素子５０６（ＣＭＯＳ）と、被写体からの光線をファインダ接眼窓１３と後述する光学フィルタ５０８とに分けるハーフミラー５０５とを備える。
【００３５】
さらに、カメラ本体１は、撮影光束の特定の波長をカット又はその高周波成分を除去する光学フィルタ５０８と、光学フィルタ５０８からの光線がＣＭＯＳ５０６で受光されるのを遮るシャッター５０７とを備える。
【００３６】
シャッター５０７は、シャッター先幕５０７ａ及びシャッター後幕５０７ｂからなる。
【００３７】
カメラ本体１がファインダビューモードであるとき、ハーフミラー５０５は実線で示される位置に配される。
【００３８】
一方、カメラ本体１が撮影モードであるとき、ハーフミラー５０５は、図２の二点鎖線で示される位置に配され、対物レンズ群５０４とＣＭＯＳ５０６間の被写体光束から待避させられた状態となる。
【００３９】
撮影モードであるとき、上記被写体光束は光学フィルタ５０８を通過する。
【００４０】
このとき、まずシャッター先幕５０７ａが走行し、その所定時間経過後にシャッター後幕５０７ｂが走行すると、ＣＭＯＳ５０６上に、被写体像が結像する。
【００４１】
この固体撮像素子５０６により所定時間蓄積された被写体光束は、光の強さに比例した量の電気信号に変換される。
【００４２】
図３は、電子カメラシステム１００の内部構成を示すブロック図である。
【００４３】
図３において、カメラ本体１は、ＣＭＯＳ５０６からの電気信号に対してアナログ処理を施すプリプロセス部５１９と、このアナログ処理された電気信号をデジタルデータに変換するＡ／Ｄ変換部５２１とを備える。
【００４４】
また、カメラ本体１は、このデジタルデータに対して幾つかの変換処理を施す信号処理部５２２と、この変換処理されたデジタルデータをフレームメモリ５２４に蓄積するメモリコントローラ５２３とを備える。
【００４５】
さらに、カメラ本体１は、メモリコントローラ５２３に蓄積されたデジタルデータに画像圧縮処理を施したり、外部に装着されるストロボ１５にそのデジタルデータを転送したりするメインマイコン（ＣＰＵ）５２０とを備える。
【００４６】
また、カメラ本体１は、メインマイコン５２０を介して上記蓄積されているデジタルデータを撮影画像として表示する液晶表示モニタ１４ａと、図１の上面液晶パネル５及び背面液晶パネル９により構成される液晶パネル５１６とを備える。
【００４７】
さらにカメラ本体１は、絞り駆動部材５１１により駆動制御されて入射光量を調節する絞り５１０と、自動焦点駆動部５１３により駆動制御されて被写体の焦点調節を行うフォーカスレンズ群５１２とを備える。
【００４８】
ここで、絞り５１０及びフォーカスレンズ群５１２は、図２の撮影レンズ５０３内に存在する。
【００４９】
さらに、カメラ本体１は、撮影者により絞り５１０やフォーカスレンズ群５１２の調節等が行われる操作スイッチ５１４と、操作スイッチ５１４における操作状態を管理するサブマイコン５１５とを備える。
【００５０】
ここで、操作スイッチ５１４は、図１のシャッターレリーズ釦４、電子ダイヤル６、撮影モード変更＆再生釦７、メインスイッチ８、デリート釦１０、及び操作釦１４ｂにより構成される。
【００５１】
また、サブマイコン５１５が管理する操作状態は、液晶パネル５１６で表示される。
【００５２】
さらに、カメラ本体１は、フレームメモリ５２４に格納されたデジタル画像信号が転送・蓄積される画像蓄積メモリ５２６と、メインマイコン５２０で圧縮された画像信号を外部に出力するシリアルポートドライバ５２９とを備える。
【００５３】
画像蓄積メモリ５２６は、蓄積された画像信号をＰＣカードコントローラ５２７を介して外部メモリであるＰＣカード５２８に供給する。
【００５４】
シリアルポートドライバ５２９は、不図示のパソコン等が接続されており、メインマイコン５２０からの画像信号が当該パソコンに送られる。
【００５５】
また、ストロボ１５は、メインマイコン５２０から転送されたデジタルデータを撮影画像として表示する外部液晶表示モニタ１５ｅと、フラッシュメモリ１５ｉとを備える。
【００５６】
図４は、電子カメラシステム１００により実行される撮影処理の手順を示すフローチャートである。
【００５７】
図４において、まずメインスイッチ８が操作され、主電源がオンになると（ステップＳ１０１でＹＥＳ）、カメラ本体１は、撮影可能なスタンバイ状態になったか否かを判別する（ステップＳ１０２）。
【００５８】
ここでスタンバイ状態とは、不図示の電池の電源状態が背面液晶パネル９が表示され、さらにメインマイコン５２０が初期状態にリセットされた状態をいう。
【００５９】
次に、ステップＳ１０２の判別の結果、スタンバイ状態であるとき、撮影者によりシャッターレリーズ釦４が１段目まで押下されたか否かを判別する（ステップＳ１０３）。
【００６０】
この判別は、具体的には、上記１段目までの押下によりメインマイコン５２０におけるＳＷ１のフラグがＯＮになったか否かを判別する。
【００６１】
ステップＳ１０３の判別の結果、シャッターレリーズ釦４の押下が１段目まであったとき、ストロボ１５がカメラ本体１に装着されているか否かを判別する（ステップＳ１０４）。
【００６２】
ステップＳ１０４の判別の結果、装着されていないときは、カメラ本体１に内蔵される液晶表示モニタ１４ａを画像表示手段に設定し（ステップＳ１０８）、その後、ステップＳ１０９の処理に進む。
【００６３】
一方、装着されていたときは、ストロボ１５に画像表示機能を有する外部液晶表示モニタ１５ｅがあるか否かを判別する（ステップＳ１０４ａ）。
【００６４】
ステップＳ１０４ａの判別の結果、外部液晶表示モニタ１５ｅがないときは、上記ステップＳ１０８の処理に進む。
【００６５】
一方、外部表示液晶モニタ１５ｅがあるときは、外部液晶表示モニタ１５ｅに画像表示機能があるか否かを判別する（ステップＳ１０５）。
【００６６】
ステップＳ１０５の判別の結果、画像表示機能がないときは、上記ステップＳ１０８の処理に進む。
【００６７】
一方、画像表示機能があるときは、その画像表示機能がＯＮであるか否かを判別する（ステップＳ１０６）。この判別処理は具体的には、設定スイッチ１５ｈがＯＮであるかＯＦＦであるかを判別する。
【００６８】
ステップＳ１０６の判別の結果、画像表示機能がＯＦＦのときは、上記ステップＳ１０８の処理に進む。一方、画像表示機能がＯＮのときは、外部表示液晶モニタ１５ｅを画像表示手段に設定し（ステップＳ１０７）、その後ステップＳ１０９の処理に進む。
【００６９】
ステップＳ１０９では、既知の測光手段および測距手段により測光演算と測距演算とが行われる。
【００７０】
その後、撮影者によりシャッターレリーズ釦４が２段目まで押下されたか否かを判別する（ステップＳ１１０でＹＥＳ）。
【００７１】
この判別は、具体的には、上記２段目までの押下によりメインマイコン５２０におけるＳＷ２のフラグがＯＮになったか否かを判別する。
【００７２】
ステップＳ１１０の判別の結果、シャッターレリーズ釦４の押下が２段目まであったとき、絞り駆動部材５１１により絞り５１０を適正な光量となるように駆動させる（ステップＳ１１１）。
【００７３】
次に、シャッター５０７を走行させる（ステップＳ１１２）。具体的には、まずシャッター先幕５０７ａを走行させ、所定時間経過後にシャッター後幕５０７ｂを走行させる。
【００７４】
その後、ＣＭＯＳ５０６に結像された被写体像をＣＭＯＳ５０６内部で光電変換し、電気信号として出力して、アナログの画像データを取り込む（ステップＳ１１３）。
【００７５】
さらに、上記ＣＭＯＳ５０６から取り込んだ出力されたアナログの画像データをＡ／Ｄ変換部５２１にてＡ／Ｄ変換した後（ステップＳ１１４）、そのデジタルに変換された画像データについて信号処理部５２２にて種々の変換処理を行う（ステップＳ１１５）。
【００７６】
さらに、メインマイコン５２０で画像データの圧縮処理を行った後（ステップＳ１１６）、その圧縮処理後の画像データをカメラ本体１の液晶表示モニタ１４ａ上に再生画像として数秒間表示する（ステップＳ１１７）。
【００７７】
このとき、外部表示液晶モニタ１５ｅも画像表示手段として設定されていた場合には、外部液晶表示モニタ１５ｅ上にも同じ再生画像を表示する。
【００７８】
次に、ＰＣカード５２８にこの圧縮された画像データを保存した後（ステップＳ１１８）、ステップＳ１０３からの処理を行う。
【００７９】
図４の処理によれば、ストロボ１５が有する外部液晶表示モニタ１５ｅは、ＳＷ１がＯＮのときに（ステップＳ１０３でＹＥＳ）、カメラ本体１に装着されたストロボ１５に画像表示機能を有する外部液晶表示モニタ１５ｅがあり、且つ、その画像表示機能がＯＮであるとき（ステップＳ１０４ａ，Ｓ１０５，Ｓ１０６）、撮影画像を液晶表示モニタ１４ａのみならず外部液晶表示モニタ１５ｅにも表示する（ステップＳ１１７）。
【００８０】
これにより、フラッシュ撮影において、カメラ本体１の液晶表示モニタ１４ａとは異なる位置に設置される外部液晶表示モニタ１５ｅにも撮影画像が表示することができ、カメラ本体１の液晶表示モニタ１４ａが使用しづらい（例えばローアングル撮影等）場合にも、画像確認を容易に行うことができる。
【００８１】
図５は、電子カメラシステム１００により実行される画像再生処理の手順を示すフローチャートである。
【００８２】
図５において、メインスイッチ８が操作され、主電源がオンになると（ステップＳ２０１でＹＥＳ）、カメラ本体１は、図４で上述したスタンバイ状態になったか否かを判別する（ステップＳ２０２）。
【００８３】
次に、ステップＳ２０２の判別の結果、スタンバイ状態であるとき、撮影者により撮影モード変更＆再生釦７が押下されたか否かを判別する（ステップＳ２０３）。
【００８４】
ステップＳ２０３の判別の結果、撮影モード変更＆再生釦７が押下されたとき、ストロボ１５がカメラ本体１に装着されているか否かを判別する（ステップＳ２０４）。
【００８５】
ステップＳ２０４の判別の結果、装着されていないときは、カメラ本体１に内蔵される液晶表示モニタ１４ａを画像表示手段に設定し（ステップＳ２０８）、その後、ステップＳ２０９の処理に進む。
【００８６】
一方、装着されていたときは、ストロボ１５に外部液晶表示モニタ１５ｅがあるか否かを判別する（ステップＳ２０５）。
【００８７】
ステップＳ２０５の判別の結果、外部液晶表示モニタ１５ｅがないとき、上記ステップＳ２０８の処理に進む。
【００８８】
一方、外部表示液晶モニタ１５ｅがあるときは、外部液晶表示モニタ１５ｅに画像表示機能があるか否かを判別する（ステップＳ２０５ａ）。
【００８９】
ステップＳ２０５ａの判別の結果、画像表示機能がないときは、上記ステップＳ２０８の処理に進む。
【００９０】
一方、画像表示機能があるときは、外部液晶表示モニタ１５ｅの画像表示機能がＯＮであるか否かを判別する（ステップＳ２０６）。
【００９１】
この判別処理は具体的には、設定スイッチ１５ｈがＯＮであるかＯＦＦであるかを判別する。
【００９２】
ステップＳ２０６の判別の結果、画像表示機能がＯＦＦであるときは、上記ステップＳ２０８の処理に進み、一方、画像表示機能がＯＮであるときは、外部表示液晶モニタ１５ｅを画像表示手段に設定し（ステップＳ２０７）、ステップＳ２０９の処理に進む。
【００９３】
ステップＳ２０９では、ＰＣカード５２８から呼び出された画像データをカメラ本体１の液晶表示モニタ１４ａ上に再生画像として表示した後、ステップＳ２０３からの処理を行う。
【００９４】
このとき、外部表示液晶モニタ１５ｅも表示手段として設定されていた場合には、外部液晶表示モニタ１５ｅ上にも同じ再生画像を表示する。
【００９５】
図５の処理によれば、撮影者により撮影モード変更＆再生釦７が押下されたときに（ステップＳ２０３でＹＥＳ）、カメラ本体１に装着されたストロボ１５に画像表示機能を有する外部液晶表示モニタ１５ｅがあり、且つ、その画像表示機能がＯＮであるとき（ステップＳ２０４，Ｓ２０５，Ｓ２０５ａ，Ｓ２０６）、ＰＣカード５２８から呼び出された画像データをカメラ本体１の液晶表示モニタ１４ａ上のみならず、ストロボ１５の外部液晶表示モニタ１５ｅ上にも再生画像として表示する（ステップＳ２０９）。
【００９６】
これにより、カメラ本体１の液晶表示モニタ１４ａとは異なる位置に設置される外部液晶表示モニタ１５ｅにも再生画像が表示することができ、カメラ本体１の液晶表示モニタ１４ａが使用しづらい（例えばローアングル撮影等）場合にも、画像確認を容易に行うことができる。
【００９７】
尚、本実施の形態では、カメラ本体１は、ストロボ１５に対する着脱用コネクタと通信用コネクタが一体で構成されているアクセサリーシューを有していたが、着脱用コネクタと通信用コネクタがそれぞれ存在していればこの形態に限定されない。
【００９８】
従って、例えば、これらのコネクタが別体となって構成されており、これらのコネクタにケーブル類を接続することによりストロボ１５と物理的、電気的に接続するようにしてもよい。
【００９９】
また、本実施の形態では、閃光発光装置であるストロボ１５を使用したが、補助光投光装置であればこれに限定されず、例えばビデオライト等を用いてもよい。
【０１００】
また、画像表示を行うモニタをカメラ本体１の液晶表示モニタ１４ａかストロボ１５の外部液晶表示モニタ１５ｅのいずれか１つに選択的に切り替える切り替えスイッチをストロボ１５に設けるようにしてもよい。
【０１０１】
また、本実施の形態では、外部液晶表示モニタ１５ｅの画像表示機能がＯＮであるか否かは（ステップＳ１０６，Ｓ２０６）、ストロボ１５に設けられたスイッチ１５ｈで設定していたが、この形態に限定されるものではなく、カメラ本体１に設けられたスイッチで設定するようにしてもよい。さらには、カメラ本体１に画像表示機能を有するストロボ１５が装着されたときに、画像表示機能がＯＮであるか否かを判別することなく、ストロボ１５にカメラ本体１から画像データを送信し、その送信された画像データを外部液晶表示モニタ１５ｅで表示するようにしてもよい。
【０１０２】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【０１０３】
この場合、記憶媒体から読み出されたプログラムコード自体が前述した実施形態の機能を実現することになり、そのプログラムコードを記憶した記憶媒体は本発明を構成することになる。
【０１０４】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【０１０５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【０１０６】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１０７】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１０８】
【図１】本発明の実施の形態に係る電子カメラシステムの外観を示す斜視図であって、（ａ）は正面図、（ｂ）は背面図である。
【図２】図１におけるカメラ本体の断面を概略的に示す図である。
【図３】電子カメラシステムの内部構成を示すブロック図である。
【図４】電子カメラシステムにより実行される撮影処理の手順を示すフローチャートである。
【図５】電子カメラシステムにより実行される画像再生処理の手順を示すフローチャートである。
【符号の説明】
【０１０９】
１  カメラ本体
４  シャッターレリーズ釦
７  撮影モード変更＆再生釦
８  メインスイッチ
１３  ファインダ接眼窓
１４ａ  液晶表示モニタ
１４ｂ  操作釦
１５  ストロボ
１５ａ，１５ｂ，１５ｃ，１５ｄ  操作釦
１５ｅ  外部液晶表示モニタ
１５ｇ  発光部
１５ｈ  設定スイッチ
１５ｉ  フラッシュメモリ
５２０  メインマイコン（ＣＰＵ）
５２４  フレームメモリ
５２６  画像蓄積メモリ
５２８  ＰＣカード
【図１】
2007060238.tif 000003
【図２】
2007060238.tif 000004
【図３】
2007060238.tif 000005
【図４】
2007060238.tif 000006
【図５】
2007060238.tif 000007